(57)【要約】【課題】画像品質を維持しつつ、装置の小型化、簡易化を図ることにより諸経費を低減するとともに、生産性の高いインクジェットプリンタを提供することを目的とする。【解決手段】光照射装置７を、照射範囲が、記録媒体搬送方向の下流側に記録媒体搬送方向に並ぶノズル列の長さよりも広く、記録媒体４の全幅にわたるように、記録ヘッド５の上方に設けるとともに、記録モードによって変化する記録ヘッド５が１回走査するごとに搬送される記録媒体４の送り量に応じて、光照射装置７による記録媒体搬送方向Ｙの光の照射範囲を変更する制御部１０を設けた。【選択図】    図１
2004299267.tif 000002
【特許請求の範囲】
【請求項１】
記録媒体上を往復移動し、光を照射することにより硬化するインクを吐出するノズルを形成してなる記録ヘッドと、前記インクを硬化させる光を照射する光照射装置とを有し、前記記録ヘッドの移動方向と垂直方向に前記記録媒体を搬送しながら前記ノズルから吐出したインクを前記記録媒体に着弾させ、前記光線照射装置により光を照射して前記インクを硬化させ、画像を形成するインクジェットプリンタにおいて、
前記光照射装置は、照射範囲が、前記記録媒体搬送方向の下流側に前記記録媒体搬送方向に並ぶノズル列の長さよりも広く、前記記録媒体の全幅にわたるように、前記記録ヘッドの上方に設けるとともに、
記録モードによって変化する前記記録ヘッドが１回走査するごとに搬送される前記記録媒体の送り量に応じて、前記光照射装置による前記記録媒体搬送方向の光の照射範囲を変更する制御部を設けたことを特徴とするインクジェットプリンタ。
【請求項２】
前記記録媒体搬送方向における最大照射範囲は、前記記録媒体の搬送方向に並ぶノズル列の長さの２倍以上の範囲であることを特徴とする請求項１に記載のインクジェットプリンタ。
【請求項３】
前記制御部は、周囲の環境温湿度の変化に応じて、前記光照射装置による照射エネルギーを変更することを特徴とする請求項１または請求項２に記載のインクジェットプリンタ。
【請求項４】
前記インクは紫外線を照射することにより硬化する紫外線硬化型のインクであり、前記光照射装置は、紫外線を発光する紫外線照射装置であって、光源として高圧水銀ランプ、メタルハライドランプ、熱陰極管、冷陰極管、ＬＥＤのうちいずれか１つを備えることを特徴とする請求項１〜３のいずれか一項に記載のインクジェットプリンタ。
【請求項５】
前記インクは、カチオン硬化型のインクであることを特徴とする請求項４に記載のインクジェットプリンタ。
【発明の詳細な説明】
【０００１】
【発明の属する技術分野】
本発明は、インクジェットプリンタに係り、特に、光を照射させることにより硬化するインクを使用したインクジェットプリンタに関するものである。
【０００２】
【従来の技術】
近年、グラビア印刷方式やフレキソ印刷方式などの製版を必要とする方式に比較して、簡便にかつ安価に画像を形成することができるという理由から、インクジェットプリンタが多く用いられるようになってきている。
【０００３】
また、このようなインクジェットプリンタを用いて商品や商品の包装に画像記録を行う分野では、商品や商品の包装に、樹脂や金属などのインク吸収性のない材料を用いることが多い。そして、このようなインク吸収性のない材料を記録媒体として用い、この記録媒体に対してインクを定着させるために、光硬化性インクを用い、このインクを記録媒体に吐出した後、例えば、紫外線などの光を照射してインクを硬化定着させるインクジェットプリンタが知られている（例えば、特許文献１参照）。
【０００４】
このようなインクジェットプリンタにおいては、インクが記録媒体上に着弾した後、光が照射されるまでの時間が長いほど、記録媒体上に着弾したインクが記録媒体にインクが浸透したり、インクのドット径が拡大して、滲みや色混じりが生じ、画質が低下する。そのため、インクが記録媒体上に着弾した後、光が照射されるまでの時間を極力短くすることが好ましい。
【０００５】
そこで、インクが記録媒体上に着弾した後、光が照射されるまでの時間を短くするインクジェットプリンタとしては、記録媒体の幅方向に往復自在とされたキャリッジに記録ヘッドを搭載するとともに、キャリッジ内であって記録ヘッドの両側部に光照射装置を設けたインクジェットプリンタが知られている（例えば特許文献１参照）。
【０００６】
また、記録ヘッドから離れた位置に光照射装置を設けるとともに、この光照射装置から発せられた光を記録ヘッドの走査方向下流側に誘導する光ファイバーやコリメータ、鏡等により構成される光学系を設けたインクジェットプリンタも知られている（例えば特許文献２参照）
【０００７】
【特許文献１】
特開昭６０−１３２７６７号公報
【特許文献２】
米国特許６１４５９７９号明細書
【０００８】
【発明が解決しようとする課題】
しかし、従来のインクジェットプリンタ（特許文献１および特許文献２）では、装置が大型化する上に装置構成が複雑になり、製造コストや運転コスト、保守経費がかかるという問題があった。
【０００９】
ここで、照射範囲が記録媒体の全幅にわたるように記録ヘッドの上方に紫外線照射装置を設けることが考えられるが、これだけでは、走査する記録ヘッドから吐出され記録媒体に着弾したインクが硬化する照射エネルギーが得られるまで、記録媒体を搬送することができず、生産性が大幅に低下するという問題がある。
【００１０】
そこで、本発明は、画像品質を維持しつつ、装置の小型化、簡易化を図ることにより諸経費を低減するとともに、生産性の高いインクジェットプリンタを提供することを目的とする。
【００１１】
【課題を解決するための手段】
上記課題を解決するために本発明によるインクジェットプリンタは、記録媒体上を往復移動し、光を照射することにより硬化するインクを吐出するノズルを形成してなる記録ヘッドと、前記インクを硬化させる光を照射する光照射装置とを有し、前記記録ヘッドの移動方向と垂直方向に前記記録媒体を搬送しながら前記ノズルから吐出したインクを前記記録媒体に着弾させ、前記光線照射装置により光を照射して前記インクを硬化させ、画像を形成するインクジェットプリンタにおいて、前記光照射装置は、照射範囲が、前記記録媒体搬送方向の下流側に前記記録媒体搬送方向に並ぶノズル列の長さよりも広く、前記記録媒体の全幅にわたるように、前記記録ヘッドの上方に設けるとともに、記録モードによって変化する前記記録ヘッドが１回走査するごとに搬送される前記記録媒体の送り量に応じて、前記光照射装置による前記記録媒体搬送方向の光の照射範囲を変更する制御部を設けたことを特徴とするインクジェットプリンタ。
【００１２】
請求項１に記載の発明によれば、光照射装置は、照射範囲が記録媒体の全幅にわたるように設けられているため、記録ヘッドから吐出され記録媒体上に着弾したインクに直ちに光が照射される。また、光照射装置は、照射範囲が記録媒体搬送方向の下流側に記録媒体搬送方向に並ぶノズル列の長さよりも広くなるように設けられており、記録ヘッドが１回走査するごとに搬送される記録媒体の送り量に応じて、光照射装置による記録媒体搬送方向の光の照射範囲が変更されるため、記録ヘッドが１走査した後、直ちに記録媒体を搬送しても、記録媒体に着弾したインクに光が照射される。
【００１３】
また、請求項２に記載の発明は、請求項１に記載のインクジェットプリンタにおいて、前記記録媒体搬送方向における最大照射範囲は、前記記録媒体の搬送方向に並ぶノズル列の長さの２倍以上の範囲であることを特徴とする。
【００１４】
請求項２に記載の発明によれば、記録ヘッドが１回走査するごとに記録媒体搬送方向のノズル列の長さ分だけ記録媒体が搬送される場合であっても、記録ヘッドが１走査した後、直ちに記録媒体を搬送しても、記録媒体に着弾したインクに光が照射される。
【００１５】
また、請求項３に記載の発明は、請求項１または請求項２に記載のインクジェットプリンタにおいて、前記制御部は、周囲の環境温湿度の変化に応じて、前記光照射装置による照射エネルギーを変更することを特徴とする。
【００１６】
請求項３に記載の発明によれば、記録ヘッドが１走査した後、直ちに記録媒体を搬送しても、記録媒体に着弾したインクは、硬化するのにより十分な光エネルギーを得られる。
【００１７】
また、請求項４に記載の発明は、請求項１から３のいずれか一項に記載のインクジェットプリンタにおいて、前記インクは紫外線を照射することにより硬化する紫外線硬化型のインクであり、前記光照射装置は、紫外線を発光する紫外線照射装置であって、光源として高圧水銀ランプ、メタルハライドランプ、熱陰極管、冷陰極管、ＬＥＤのうちいずれか１つを備えることを特徴とする。
【００１８】
請求項４に記載の発明によれば、記録ヘッドが１走査した後、直ちに記録媒体を搬送しても、記録媒体に着弾した紫外線硬化型のインクに紫外線が照射される。
【００１９】
請求項５に記載の発明は、請求項４に記載のインクジェットプリンタにおいて、前記インクは、カチオン重合系インクであることを特徴とする。
【００２０】
請求項５に記載の発明によれば、カチオン重合系インクは酸素阻害作用をうけることがないため、低照度の紫外線で良好に硬化する。
【００２１】
【発明の実施の形態】
以下、本発明の実施形態を図１から図５を参照して説明する。
【００２２】
本実施形態によるインクジェットプリンタ１は、シリアルヘッド方式のインクジェットプリンタである。インクジェットプリンタ１は、図１に示すように、棒状のガイドレール２を有しており、このガイドレール２には、キャリッジ３が支持されている。このキャリッジ３は、キャリッジ駆動機構１１（図２参照）によって主走査方向Ｘをガイドレール２に沿って往復移動するようになっている。
【００２３】
キャリッジ３には、記録媒体４に対して、イエロー（Ｙ）、マゼンタ（Ｍ）、シアン（Ｃ）、ブラック（Ｋ）の各色のインクを吐出するノズル（図示しない）が設けられた記録ヘッド５が搭載されている。
【００２４】
なお、本実施の形態で使用するインクは、紫外線を照射することにより硬化する紫外線硬化型のインクである。紫外線硬化型のインクは、重合性化合物として、ラジカル重合性化合物を含むラジカル重合系インクとカチオン重合性化合物を含むカチオン重合系インクとに大別されるが、その両系のインクが本実施形態に用いられるインクとしてそれぞれ適用可能であり、ラジカル重合系インクとカチオン重合系インクとを複合させたハイブリッド型インクを本実施形態に用いられるインクとして適用してもよい。しかしながら、酸素による重合反応の阻害作用が少ない又は無いカチオン重合系インクのほうが機能性、汎用性に優れるため、特に、カチオン重合系インクを用いることが好ましい。
【００２５】
キャリッジ３の移動可能範囲の中央部分は、記録媒体４に記録を行う記録領域とされており、この記録領域には、平板状の部材で構成され、記録媒体４を非記録面から支持するプラテン６が設けられている。
【００２６】
なお、記録媒体４としては、普通紙、再生紙、光沢紙等の各種紙、各種布地、各種不織布、樹脂、金属、ガラス等の材質からなる記録媒体４が適用可能である。特に、本実施形態で用いられる記録媒体４としては、所謂軟包装に用いられる透明又は不透明な非吸収性の樹脂製フィルムを適用することができる。
【００２７】
また、インクジェットプリンタ１には、長尺の記録媒体４をプラテン６上に送り出す送出しローラ１２１と画像が記録された記録媒体４を巻き取る巻取りローラ１２２とを有し、この送出しローラ１２１と巻取りローラ１２２との間に、主走査方向Ｘと直交する副走査方向Ｙに記録媒体４を搬送する複数の搬送ローラ１２３を配置した搬送機構１２が設けられている。搬送機構１２は、画像記録時において、キャリッジ３の動作に合わせて、記録媒体４の搬送と停止とを繰り返して記録媒体４を間欠的に搬送する。
【００２８】
また、インクジェットプリンタ１には、ノズルから記録媒体４に吐出されたインクに対して、記録ヘッド５の上方から紫外線を照射する光照射装置７が設けられている。光照射装置７は、カバー部材８を有しており、このカバー部材８の内部には、線状の熱陰極管からなる光源９が、副走査方向Ｙに複数本配置されている。
【００２９】
ここで、光源９として熱陰極管を用いた場合は、光源９から発せられる紫外線は、記録媒体４に対して光源９から最も短い距離となる位置が最も照度が高く、この位置から離れるに従って照度が低くなる傾向がある。したがって、光源９と記録媒体４との間隔、光源９の配列間隔、光源９の本数等によっては、記録媒体４の光照射装置７の端部に対応する位置において、インクを硬化させるのに適当な照度が得られない範囲が生じる場合がある。そこで、本実施形態においては、光源９は、記録ヘッド５の幅方向での全域にわたる照射範囲においてインクを硬化させるために適当な照度を得ることができる長さに設定されており、また、光源９は、記録ヘッド５の副走査方向Ｙの最上流位置から下流に向けてノズル列の長さＮの２倍の位置における照射範囲において、インクを硬化させるために適当な照度を得ることができるように配置されている。
【００３０】
図２は、本実施形態における画像記録装置１を制御するための制御装置を示したものであり、この制御装置は、たとえば、ＣＰＵ、ＲＯＭ、ＲＡＭ（いずれも図示せず）からなり、ＲＯＭに記録された処理プログラムをＲＡＭに展開してＣＰＵによりこの処理プログラムを実行する制御部１０を有している。
【００３１】
この制御部１０は、前述の処理プログラムに従い、キャリッジ駆動機構１１、搬送機構１２、各記録ヘッド５、光照射装置７の動作状況等のステータスに基づいて、各構成の動作を制御するようになっている。
【００３２】
また、制御部１０には、ユーザの指示を入力する入力操作部１３が接続されており、制御部１０は、入力操作部１３から入力された記録モードに基づいて、光照射装置７により照射される紫外線の照射範囲を制御するようになっている。
【００３３】
ここで、紫外線の照射範囲について説明すると、図３に示すように、紫外線の照射範囲が、副走査方向のノズル列の長さＮと同じ範囲である場合には、記録ヘッド５が主走査方向Ｘに１走査した後、直ちに記録媒体４を副走査方向Ｙに搬送すると、図３（Ｂ）に示すように、最後に吐出され副走査方向Ｙの下流側に着弾したインク液滴は、十分に紫外線が照射されないうちに照射範囲から外れてしまい、十分に硬化しない。このため、記録媒体４が１走査されても、副走査方向Ｙの下流側に着弾したインクが紫外線の照射範囲に含まれるようにする必要がある。
【００３４】
ところで、インクジェット１は、例えば、解像度と、主走査方向Ｘの１ライン上の画素および副走査方向Ｙの１ライン上の画素を記録ヘッド５を何回走査させることによって埋めるかを定めたインターリーブとの組合せにより、複数種類の記録モードが用意されており、記録モードによって、記録媒体４が搬送される量が異なる。
【００３５】
そこで、制御部１０は、記録媒体４が１走査されても、副走査方向Ｙの下流側に着弾したインクが紫外線の照射範囲に含まれるように、記録モードに応じて照射範囲が変更されるように、光照射装置７を制御するものである。
【００３６】
例えば、解像度３６０ｄｐｉに対応する記録ヘッド５が用いられている場合において、解像度を３６０ｄｐｉ、主走査方向Ｘのインターリーブを２、副走査方向Ｙのインターリーブを１とする記録モードが選択された場合には、図４に示すように、１回目の走査で、主走査方向Ｘの１ライン上の全画素のうち２分の１の画素を１つおきに埋めていき、２回目の走査にで、１回目の走査で埋められなかった画素を埋めるため、１回目の走査と２回目の走査との間には、副走査方向Ｙに並んだノズル列の長さＮの約２分の１の長さだけ記録媒体４が搬送される。したがって、図５に示すように、副走査方向Ｙの最も上流側に位置する光源９から、記録ヘッド５の下流側端部からノズル列の長さＮの約２分の１の範囲を照射範囲として照射可能な位置の光源９までを点灯させるように光照射装置７を制御する。
【００３７】
また、例えば、解像度３６０ｄｐｉに対応する記録ヘッド５が用いられている場合において、解像度を７２０ｄｐｉ、主走査方向Ｘのインターリーブを２、副走査方向Ｙのインターリーブを１とする記録モードが選択された場合には、１回目の走査と２回目の走査との間には、副走査方向Ｙのノズル列の長さＮの約４分の１の長さだけ記録媒体４が搬送される。したがって、副走査方向Ｙの最も上流側に位置する光源９から、記録ヘッド５の下流側端部からノズル列の長さＮの約４分の１の範囲を照射範囲として照射可能な位置の光源９までを点灯させるように光照射装置７を制御する。
【００３８】
なお、記録ヘッドの解像度と記録しようとする解像度とが一致しており、主走査方向Ｘおよび副走査方向Ｙのインターリーブが共に１である記録モードでは、記録ヘッド５の１走査ごとの記録媒体４の送り量は、副走査方向Ｙのノズル列の長さＮ分であり、最大の送り量となる。この場合には、全ての光源９を点灯させるように光照射装置７を制御することになる。
【００３９】
また、図２に示すように、制御部１０には、周囲環境の温度および湿度を測定する温湿度センサ１４が接続されており、制御部１０は、温湿度センサ１４により測定された温湿度に応じて、光照射装置７を制御して、記録ヘッド５から吐出されたインクを当該環境下で良好に硬化させるために最適なエネルギーの光を照射させるようになっている。
【００４０】
次に、本実施形態の作用について説明する。
【００４１】
記録媒体４に画像を形成する際には、ユーザが選択した記録モードが入力操作部１３より入力される。すると、制御部１０により、入力された記録モードにおいて記録媒体４が１走査されても、副走査方向Ｙの下流側に着弾したインクが紫外線の照射範囲に含まれるように、光照射装置７の光源９を点灯させる。
【００４２】
このとき、光源９からは、温湿度センサ１４により測定された温湿度に応じて、インクを良好に硬化させるために最適なエネルギーの光が照射されるように、制御部１０により光照射装置７が制御される。
【００４３】
そして、制御部１０により、キャリッジ駆動機構１１を作動させることにより、キャリッジ３を記録媒体４の上方を主走査方向Ｘに移動させるとともに、所定の画像情報に基づいて記録ヘッド５から所定の色のインクを吐出させる。吐出されたインクは順次記録媒体４に着弾する。
【００４４】
このとき、光照射装置７からは、記録媒体４の全幅を照射範囲として紫外線が発せられているため、図６に示すように、記録媒体４に着弾したインク液滴には、順次紫外線が照射される。そして、記録ヘッド５が主走査方向Ｘに１走査されるごとに、制御部１０により、搬送機構１２を作動させて、記録媒体４を副走査方向に１走査させるが、このとき、副走査方向Ｙの下流側に着弾したインクも紫外線の照射範囲に含まれるように紫外線が照射されているため、当該走査により吐出されたインクに、記録ヘッド５を次に１走査させる間も、紫外線が照射される。
【００４５】
このように、主走査方向Ｘおよび副走査方向Ｙへの走査を繰り返しながら、記録ヘッド５からインクを吐出させ、記録ヘッド５から吐出されて記録媒体４に着弾したインク液滴に、順次紫外線を照射させることによりインクが硬化し、画像が記録媒体４に形成される。
【００４６】
以上より、本実施形態によれば、光照射装置７は、照射範囲が記録媒体の全幅にわたるように設けられており、記録ヘッドから吐出され記録媒体上に着弾したインクに直ちに光が照射されるため、インクが記録媒体上に着弾した後、光が照射されるまでの時間を短く、滲みや色混じりを防止することができ、良好な画像を得ることができる。
【００４７】
また、光源９が、記録ヘッド５の副走査方向Ｙの最上流端部から副走査方向Ｙのノズル列の長さＮの２倍の位置まで照射範囲に含まれるように、副走査方向Ｙに複数本配置されており、記録モードの変更による記録媒体の送り量に応じて、光の照射範囲が調整されるため、記録媒体を搬送しても、記録媒体に着弾したインクに光が照射されるため、記録ヘッドが１走査した後、直ちに記録媒体を搬送することができ、生産性が低下することがない。
【００４８】
また、周囲の環境温湿度の変化に応じて、光照射装置７による照射エネルギーを変更するため、より効率よくインクを硬化させて良好な画像を得ることができる。
【００４９】
さらに、光照射装置７が記録ヘッドの上方に固定して設けられているため、装置の小型化、簡易化を図ることができ、諸経費を低減することができる。
【００５０】
なお、本実施形態では、記録媒体４の全幅が照射範囲となる長さの熱陰極管からなる線上の光源９が、記録ヘッド５の副走査方向Ｙの最上流端部から副走査方向のノズル列の長さＮの２倍が照射範囲となる位置まで、副走査方向Ｙに複数本配置された光照射装置７を設けるようにしたが、これに限るものではなく、例えば、記録媒体４の全幅が照射範囲となる長さで一定の幅を有する光照射装置７を、複数個副走査方向Ｙに配置するようにしてもよい。さらに、光源９としては、熱陰極管の他、高圧水銀ランプ、メタルハライドランプ、冷陰極管、ＬＥＤ等を使用してもよい。
【００５１】
また、本実施形態では、紫外線の被照射により硬化するインクを用いたが、必ずしもこれには限定されず、紫外線以外の光の被照射により硬化するものであってもよい。ここでいう「光」とは、広義の光であって、紫外線、電子線、Ｘ線、可視光線、赤外線等の電磁波を含むものである。すなわち、インクには、紫外線以外の光で重合して硬化する重合性化合物と、紫外線以外の光で重合性化合物同士の重合反応を開始させる光開始剤とが適用されてもよい。紫外線以外の光で硬化する光硬化型のインクを用いる場合は、光源９に代えて、その光を照射する光源を適用する。
【００５２】
【発明の効果】
請求項１に記載の発明によれば、光照射装置は、照射範囲が記録媒体の全幅にわたるように設けられており、記録ヘッドから吐出され記録媒体上に着弾したインクに直ちに光が照射されるため、インクが記録媒体上に着弾した後、光が照射されるまでの時間を短く、滲みや色混じりを防止することができ、良好な画像を得ることができる。
【００５３】
また、光照射装置が、記録媒体搬送方向の下流側に記録ヘッド長よりも広い範囲を照射範囲とするように設けられており、記録ヘッドが１走査した後、直ちに記録媒体を搬送しても、記録媒体に着弾したインクに光が照射されるように光の照射範囲が調整されるため、生産性が低下することがない。
【００５４】
さらに、光照射装置が記録ヘッドの上方に固定して設けられているため、装置の小型化、簡易化を図ることができ、諸経費を低減することができる。
【００５５】
請求項２に記載の発明によれば、記録ヘッドが１回走査するごとに記録媒体搬送方向のノズル列の長さ分だけ記録媒体が搬送される場合であっても、簡易な構成により、生産性が低下することなく、滲みや色混じりを防止して、良好な画像を得ることができる。
【００５６】
請求項３に記載の発明によれば、周囲の環境温湿度の変化に応じて、光照射装置による照射エネルギーを変更するため、より効率よくインクを硬化させて良好な画像を得ることができる。
【００５７】
請求項４に記載の発明によれば、簡易な構成により、生産性が低下することなく、滲みや色混じりを防止して、良好な画像を得ることができる。
【００５８】
請求項５に記載の発明によれば、より低照度の紫外線によりインクを硬化させて良好な画像を得ることができる。
【図面の簡単な説明】
【図１】（Ａ）は、本発明によるインクジェットプリンタの一実施形態の構成を示す正面図であり、（Ｂ）は、本は詰めによるインクジェットプリンタの一実施形態の構成を示す側面図である。
【図２】本発明によるインクジェットプリンタの一実施形態の構成を示すブロック図である。
【図３】（Ａ）は、インクジェットプリンタの側面から見た、記録ヘッドの走査中に、紫外線がインク液滴に照射される様子を示す説明図であり、（Ｂ）は、インクジェットプリンタの側面から見た、記録ヘッドが１走査した直後に記録媒体を搬送した場合に、紫外線が照射される様子を示す説明図である。
【図４】主走査方向のインターリーブを２とする記録モードによりドットが記録される様子を示す説明図である。
【図５】（Ａ）は、本発明によるインクジェットプリンタの側面から見た、記録ヘッドの走査中に、紫外線がインク液滴に照射される様子を示す説明図であり、（Ｂ）は、本発明によるインクジェットプリンタの側面から見た、記録ヘッドが１走査した直後に記録媒体を搬送した場合に、紫外線がインク液滴に照射される様子を示す説明図である。
【図６】本発明によるインクジェットプリンタの正面から見た、紫外線が記録媒体に向けて照射される様子を示す説明図である。
【符号の説明】
１      インクジェットプリンタ
４      記録媒体
５      記録ヘッド
７      光照射装置
９      光源
１０    制御部
【図１】
2004299267.tif 000003
【図２】
2004299267.tif 000004
【図３】
2004299267.tif 000005
【図４】
2004299267.tif 000006
【図５】
2004299267.tif 000007
【図６】
2004299267.tif 000008